(57)【要約】      （修正有）【課題】電磁誘導を利用して電気的に通信する注射器システムを提供する。【解決手段】注射器システム１００は、プランジャ１０１、マイクロコントローラ、電池２０２、およびコイルを備えている。注射器のシリンダ１０２は、基端、先端、および長軸を定める周壁を有する。シリンダの周壁は外面を含み、内部空間を仕切っている。プランジャは、シリンダの基端と先端との間に位置し、シリンダの内部空間の中をシリンダに対して長手方向に移動可能である。シリンダは更に、周壁に配置されたラベル１０６を有する。このラベルは少なくとも２枚の導電性箔を含む。これらの導電性箔は、シリンダの長軸に対して平行ではない方向に伸びていて、固有の長さを持つ。マイクロコントローラは、少なくとも２枚の導電性箔がコイルに誘導する電流を測ることによってシリンダに対するプランジャの位置を求めるように構成されている。【選択図】図４
2020146532.tif 000002
【特許請求の範囲】
【請求項１】
マイクロコントローラ、
電池、および、
複数の導線で前記マイクロコントローラと前記電池とに接続されたコイル
を含むプランジャと、
基端、先端、および長軸を定める周壁を有するシリンダと
を備えた注射器システムであって、
前記シリンダの周壁は、前記基端と前記先端との間を長手方向に伸びており、外面を含み、内部空間を仕切っており、
前記プランジャは、前記シリンダの基端と先端との間に位置し、前記シリンダの内部空間の中を前記シリンダに対して長手方向に移動可能であり、
前記シリンダは更に、
前記周壁に配置されており、少なくとも２枚の導電性箔を含むラベル
を有し、
前記少なくとも２枚の導電性箔は、前記シリンダの長軸に対して平行ではない方向に伸びていて、固有の長さを持ち、
前記マイクロコントローラは、前記少なくとも２枚の導電性箔が前記コイルに誘導する電流を測ることによって前記シリンダに対する前記プランジャの位置を求めるように構成されている
ことを特徴とする注射器システム。
【請求項２】
前記プランジャはヘッド部を含み、前記ヘッド部は少なくとも一部が前記シリンダの外側に広がっており、前記電池と前記マイクロコントローラとは前記ヘッド部の中に配置されている、請求項１に記載の注射器システム。
【請求項３】
前記注射器システムの温度を表す信号を前記マイクロコントローラへ出力するように構成された温度センサを更に備えた、請求項１に記載の注射器システム。
【請求項４】
無線通信インタフェースを更に備え、前記マイクロコントローラは、前記温度センサから受信した温度データを前記無線通信インタフェース経由でコンピュータ制御装置へ送信するように構成されている、請求項３に記載の注射器システム。
【請求項５】
無線通信インタフェースを更に備え、前記マイクロコントローラは、プランジャの位置データを前記無線通信インタフェース経由で外部装置へ送信するように構成されている、請求項１に記載の注射器システム。
【請求項６】
前記外部装置は、前記プランジャの位置が所定の距離を超えて移動したことを前記マイクロコントローラが検出したら、ユーザーに警報を出すように構成されている、請求項５に記載の注射器システム。
【請求項７】
前記マイクロコントローラは、前記電池に電流を前記コイルへ所定の周期で供給させるように構成されている、請求項１に記載の注射器システム。
【請求項８】
前記少なくとも２枚の導電性箔は透明である、請求項１に記載の注射器システム。
【請求項９】
前記少なくとも２枚の導電性箔は、前記シリンダの周壁上に、長手方向において互いに間隔を置いて配置され、周方向の長さに応じた順序で配置されている、請求項１に記載の注射器システム。
【請求項１０】
マイクロコントローラ、電池、および複数の導線で前記マイクロコントローラと前記電池とに接続されたコイルを含むプランジャと、長軸を持ち、前記プランジャを受け入れるシリンダと、前記シリンダの周壁に配置されており、少なくとも２枚の導電性箔を含むラベルとを備えた注射器システムを利用する方法であって、
前記少なくとも２枚の導電性箔は、前記シリンダの長軸に対して平行ではない方向に伸びていて、固有の長さを持ち、
前記マイクロコントローラが前記電池に電流を前記コイルへ、前記複数の導線経由で供給させることによって前記コイルに渦電流を発生させ、発生した渦電流の振幅を、前記ラベルの少なくとも２枚の導電性箔に対して前記コイルが、前記シリンダの長手方向においてどこに位置するかに依存させるステップと、
前記マイクロコントローラが、前記コイルに発生した渦電流を、前記複数の導線経由で測定するステップと、
前記マイクロコントローラが、測定された渦電流に基づいて、前記シリンダに対する前記プランジャの位置を求めるステップと
を有する方法。
【請求項１１】
前記マイクロコントローラが、求められた前記プランジャの位置に関するデータを、無線通信インタフェース経由で外部装置へ送信するステップを更に有する、請求項１０に記載の方法。
【請求項１２】
前記外部装置が前記プランジャの位置に関するデータに基づいて１以上の警報を出すステップを更に有する、請求項１１に記載の方法。
【請求項１３】
温度センサが前記注射器システムの温度の測定値に基づいて温度データを生成するステップと、
前記マイクロコントローラが前記温度データを、無線通信インタフェース経由で外部装置へ送信するステップと
を更に有する、請求項１０に記載の方法。
【請求項１４】
前記外部装置が前記温度データに基づいて１以上の警報を出すステップを更に有する、請求項１３に記載の方法。
【発明の詳細な説明】
【技術分野】
【０００１】
この出願は、２０１７年５月２５日を出願日とする米国特許仮出願第６２／５１１，０８６号に対する優先権主張を伴うものであり、その内容全体がここには参照によって組み込まれている。
【背景技術】
【０００２】
急成長を遂げている健康管理システムでは、患者が薬を正しく服用すると出資者の出資額に影響が及ぶことが知られている。薬剤充填済み注射器のような低価格の医療器具に拘る努力は、接続性の面で、他の複雑な投薬システムよりも遅れている。これは主に通信機器の費用による。これらの通信機器の多くは、医療器具そのものよりも高額である。
【０００３】
薬剤充填済み注射器には時に、輸送中にプランジャが不要な動きを示すという問題が生じる。空輸の間に、および／または異なる高度を移動する間に、たとえば温度または気圧の変化に伴う内外の圧力差の変化がプランジャを動かしてしまうことがある。プランジャのこの動きは、医療器具の無菌性に影響しうる。潜在する他の溶液が侵襲するという問題もある。薬剤充填済み注射器のような低価格の注射器具には、シリンダおよびプランジャのサイズ、形、材質の変更に関する極めて厳格な製造規格がある。
【発明の概要】
【０００４】
以下に開示される技術の実施形態の一例は、注射器システムである。この注射器システムはプランジャを備えている。このプランジャは、マイクロコントローラ、電池、およびコイルを含む。このコイルは、複数の導線でマイクロコントローラと電池とに接続されている。注射器のシリンダは、基端、先端、および周壁を含む。この周壁は長軸を定め、基端と先端との間を長手方向に伸びている。周壁は外面を持ち、内部空間を仕切っている。プランジャはシリンダの基端と先端との間に位置し、シリンダの内部空間の中をシリンダに対して長手方向に移動可能である。シリンダは更にラベルを含む。このラベルは周壁に配置されており、少なくとも２枚の導電性箔で形成されている。これらの導電性箔は、シリンダの長軸に対して平行ではない方向に伸びていて、固有の長さを持つ。マイクロコントローラは、少なくとも２枚の導電性箔がコイルに誘導する電流を測定することにより、シリンダに対するプランジャの位置を求めるように構成されている。
【０００５】
注射器システムのある実施形態では、プランジャがヘッド部を含む。このヘッド部は少なくとも一部がシリンダの外側に広がっている。このヘッド部の中に、電池とマイクロコントローラとは配置されている。
【０００６】
ある実施形態では、注射器システムは温度センサを更に含む。この温度センサは、注射器システムの温度を表す信号をマイクロコントローラへ出力するように構成されている。
【０００７】
ある実施形態では、注射器システムは無線通信インタフェースを更に含む。マイクロコントローラは、温度センサから受信した温度データを、無線通信インタフェース経由でコンピュータ制御装置へ送信するように構成されている。
【０００８】
ある実施形態では、注射器システムは無線通信インタフェースを更に含む。マイクロコントローラは、プランジャの位置データを無線通信インタフェース経由で外部装置へ送信するように構成されている。
【０００９】
ある実施形態では、外部装置は、プランジャの位置が所定の距離を超えて移動したことをマイクロコントローラが検出したら、ユーザーに警報を出すように構成されている。
【００１０】
ある実施形態では、マイクロコントローラは、電池に電流をコイルへ所定の周期で供給させるように構成されている。
【００１１】
ある実施形態では、少なくとも２枚の導電性箔は透明である。
【００１２】
ある実施形態では、少なくとも２枚の導電性箔は、シリンダの周壁上に、長手方向において互いに間隔を置いて配置され、周方向の長さに応じた順序で配置されている。
【００１３】
以下に開示される技術の実施形態の別例は、注射器システムを利用する方法である。この注射器システムはプランジャを含む。このプランジャは、マイクロコントローラ、電池、およびコイルを含む。このコイルは、複数の導線でマイクロコントローラと電池とに接続されている。この注射器システムはシリンダとラベルとを更に含む。シリンダは長軸を持ち、プランジャを受け入れる。ラベルはシリンダの周壁に配置されており、少なくとも２枚の導電性箔を含む。これらの導電性箔は、シリンダの長軸に対して平行ではない方向に伸びていて、固有の長さを持つ。この注射器システムを利用する方法は、マイクロコントローラが電池に電流をコイルへ、複数の導線経由で供給させることによってコイルに渦電流を発生させるステップを含む。発生した渦電流の振幅は、ラベルの導電性箔のそれぞれに対してコイルがシリンダの長手方向においてどこに位置するかに依存する。この方法は更に、マイクロコントローラが、コイルに発生した渦電流を複数の導線経由で測定するステップと、マイクロコントローラが、測定された渦電流に基づいて、シリンダに対するプランジャの位置を求めるステップとを有する。
【００１４】
ある実施形態では、この方法は更に、マイクロコントローラが、求められたプランジャの位置に関するデータを、無線通信インタフェース経由で外部装置へ送信するステップを有してもよい。
【００１５】
ある実施形態では、この方法は更に、外部装置がプランジャの位置に関するデータに基づいて１以上の警報を出すステップを有してもよい。
【００１６】
ある実施形態では、この方法は更に、温度センサが注射器システムの温度の測定値に基づいて温度データを生成するステップと、マイクロコントローラがその温度データを、無線通信インタフェース経由で外部装置へ送信するステップとを有してもよい。
【００１７】
ある実施形態では、この方法は更に、外部装置が温度データに基づいて１以上の警報を出すステップを有してもよい。
【図面の簡単な説明】
【００１８】
添付された図面に関連付けて、開示される技術の様々な側面が説明される。例示を目的として図面には、現時点で望ましい実施形態が示されている。しかし、本発明は、図示された配置と手段との詳細には限定されないことが理解されるべきである。
【００１９】
【図１】本発明の望ましい実施形態による注射器システムの特徴を表すブロック図である。
【図２】本発明の望ましい実施形態による注射器システム用のプランジャの斜視図である。
【図３】本発明の望ましい実施形態による注射器システム用のシリンダの斜視図である。
【図４】本発明の望ましい実施形態による注射器システムの一部として一つに組み合わされた、図２のプランジャと図３のシリンダとの斜視図である。
【発明を実施するための形態】
【００２０】
以下の記述では、単に便宜上、ある種の用語が使われるが、限定的なものではない。「右」、「左」、「下」、「上」という語は、参照される図面において方向を示す。「内側へ」と「外側へ」という語はそれぞれ、装置およびその特定の部品群の幾何学的中心へ向かう方向と、その中心から離れる方向とを意味する。これらの列挙された語、それらの派生語、および類義語が用語には含まれる。その他に、「ある」、「一つの」という語は、請求の範囲と、それに対応する明細書の部分とに使われている場合、「少なくとも一つの」を意味する。
【００２１】
以下に開示される技術は、使い捨ての注射器システム１００等の投薬装置に対し、電磁誘導を利用して電気的に通信する方法である。この方法は手頃な価格であって、拡張が可能である。図１は、この注射器システムの特徴を、以下に記述される観点に従って表しているブロック図である。注射器システム１００は好ましくは、少なくとも、プランジャ１０１とシリンダ１０２とを含む。プランジャ１０１は手動または自動で操作可能であり、シリンダ１０２内の薬剤（図示せず。）が針３０１等の開口部を通して投与され得る程度に、シリンダ１０２の内部に圧力を加える。注射器システム１００は好ましくは、状態情報（たとえば、注射の完了、プランジャ１０１の動き、温度情報）をコンピュータ制御装置等の外部装置１０３へ、ブルートゥース（登録商標）低エネルギー（ＢＬＥ）またはその他の無線プロトコルに従って無線通信インタフェース１０４経由で通信可能である。外部装置には、スマートフォン、タブレット、パソコン、その他のデジタル医療システムが含まれる。プランジャ１０１の位置に関する情報は好ましくは、マイクロコントローラ１０５により、誘導コイル１０８に生じる電磁誘導を利用して生成される。このコイル１０８はプランジャ１０１に巻かれ、またはその中に収められている。マイクロコントローラ１０５は、ある観点では、Ｃｙｐｒｅｓｓ  ＰＳｏＣ  ６  ３２ビットＩｏＴマイクロコントローラ等であり、好ましくはプランジャ１０１に埋め込まれている。
【００２２】
シリンダ１０２は好ましくはラベル１０６を含む。ラベル１０６はシリンダ１０２に、好ましくはシリンダ１０２の外面上に形成され、または貼り付けられている。ラベル１０６はシリンダ１０２の外周面に置かれても、その内周面に置かれてもよい。ラベル１０６はまた、シリンダ１０２の材料の中に埋め込まれていてもよい。ラベル１０６は好ましくは、様々な量の導電性の基板を含む。この基板は、ラベル１０６の長手方向に沿って、シリンダ１０２の長手方向に伸びている。好ましい実施形態では、ラベル１０６は好ましくは複数の導電性箔３０３（図３参照。）を含む。これらの導電性箔３０３はそれぞれ、シリンダ１０２の周壁３０４の上を周方向（シリンダ１０２の長軸に対して平行ではない方向を含んでもよい。）に伸びている。導電性箔３０３のうち、少なくとも２枚が固有の長さを持つ。好ましくは、導電性箔３０３はそれぞれが固有の長さを持つ。図示されない別の実施形態では、導電性箔３０３は傾斜していてもよい。導電性箔３０３それぞれの傾斜は同じ角度であっても、異なる角度であってもよい。これらの実施形態では、導電性箔３０３はそれぞれ、固有の有効長を持っていてもよい。有効長は、導電性箔３０３の横方向における長さ（すなわち、長軸に対する傾斜角の余弦に、導電性箔３０３の全長を乗じた値）である。したがって、導電性箔は全長が等しくても、異なる角度で配置されることにより、それぞれが固有の有効長を持つ箔の列を成すことができる。図３に示されている実施形態では、導電性箔それぞれの全長が、それぞれに固有の有効長に等しい。その結果、「固有の長さ」という用語は、以下で使われるように、固有の有効長をも意味する。導電性箔３０３は、好ましくは、シリンダ１０２の長手方向において互いに離されている。導電性箔３０３は、周方向の長さに応じた順序で配置されていてもよい（たとえば、最長の箔がシリンダ１０２の一端に近く、最短の箔が他端に近くてもよい）。導電性箔３０３の材料は、炭素、銀、または銅のインク等を含んでいてもよいが、これらには限られない。ある観点では、１以上の導電性箔３０３が、透明な導電性物質を使って印刷されていてもよい。他の実施形態では、導電性箔がそれぞれワイヤで構成されていてもよい。
【００２３】
他の観点では、ラベル１０６は、注射器の付属品のケース、自動注射器、または装着型投薬装置等、近くにある他の要素（図示せず。）に設置されてもよい。その要素が、プランジャ１０１に置かれた誘導コイル１０８に渦電流を誘導させるのに十分な程度に、そのコイルに近ければよい。更なる詳細については後述するが、シリンダ１０２に対するプランジャ１０１の位置、特にラベル１０６に対するコイル１０８の位置に応じて異なる渦電流を、好ましくは、マイクロコントローラ１０５が測定する。この渦電流は、ラベル１０６の特定の位置に有る導電性箔３０３がプランジャ１０１のコイル１０８に生じさせる電磁誘導がもたらすものであり、一つには、その導電性箔３０３の横方向の長さの和に依存する。
【００２４】
検出された位置は、好ましくは、プランジャ１０１内のメモリ１０７に書き込まれ、たとえば、輸送中におけるプランジャ１０１の意図しない動きが記録される。メモリ１０７は好ましくは無電力型である。その他に、電池２０２（図２参照。）またはその他の電源によって電力が供給されるものであってもよい。マイクロコントローラ１０５はまた、内蔵の温度センサ１０９を使ってプランジャ１０１の温度を検出してもよく、所定の周期で温度データをメモリ１０７に書き込んでもよい。これにより、注射器システム１００の温度履歴が追跡され、流通時に低温状態が正しく維持されていることを保証することができる。ある観点では、注射器システム１００は、保存温度が正しい状態から外れたことについて、たとえば外部装置１０３を通してユーザーに警報を出してもよい。この機能はまた、薬剤が、流通時の低温保存から脱した後、注射に適した温度に達したことをユーザーに通知するのにも利用されてもよい。さらに、プランジャ１０１の位置検出により、一回分の薬剤がいつ、どれだけ投与されたかがユーザーにわかるようにして、薬剤投与が正しく守られていることの保証に役立てることもできる。
【００２５】
本発明の観点に従ってマイクロコントローラ１０５と誘導センサ１１０とを使用することは、必要な部品数を減らすことにより、プランジャ追跡システムの費用を他の可能な手段に比べて削減するのに役立つ。また、輸送中にプランジャ１０１の動きを追跡することもできる。たとえば、低エネルギー型のマイクロコントローラ１０５がプランジャ１０１の位置を所定の周期でサンプリングして、その位置に変化があったか否かを検出してもよい。ある実施形態では、その周期が１秒以下であってもよい。プランジャ１０１の位置に変化があれば、マイクロコントローラ１０５がデータの記録を開始し、無線通信インタフェース１０４を通して接続されたコンピュータ制御装置１０３に送信してもよい。コンピュータ制御装置１０３は、プランジャ１０１の変位が検出されたことをユーザーに警告してもよい。
【００２６】
注射器システム１００はまた、搭載した温度センサ１０９に加え、マイクロコントローラ１０５の内部時計（図示せず。）を利用して、自身の温度と、シリンダ１０２に薬剤が詰められた時点からの経過時間とを追跡して記録することも可能であってもよい。温度センサ１０９は、温度を所定の周期で測定するのに利用されてもよい。マイクロコントローラ１０５は、自身のデューティサイクルが「アクティブ」である間、温度データをメモリ１０７に書き込んでもよい。
【００２７】
ある観点では、開示されたこの技術に利用される電子機器が、充填済み注射器およびその他の注射器具の上で使用されるのに十分な低価格、かつ小型であってもよい。また、より大きな装置に適合する規模であってもよい。マイクロコントローラ１０５の電力削減量は、以前に製造されたシステムを超えるものであってもよい。これは、超低電力ブートサイクルと「インアクティブ」の長いデューティサイクル（電池の消耗とアイドルタイムとを最小化できる。）との使用を通して実現される。
【００２８】
図２は、注射器システム１００の実施形態に使用されているプランジャ１０１の斜視図である。プランジャ１０１は（ＣＲ１２２０等の）電池２０２を、コイル１０８、マイクロコントローラ１０５、および／または他の要素への電力供給に利用してもよい。ある観点では、電池２０２は充電可能であってもよい。プランジャ１０１は電池２０２を、プランジャ１０１の一端に位置するヘッド部２０１の中に収めていてもよい。ヘッド部２０１はまた、マイクロコントローラ１０５（図２には示されていない。）を収容していてもよい。マイクロコントローラ１０５は印刷回路基板２０３に実装されていてもよい。好ましくは、複数の導線２０４がヘッド部２０１内のマイクロコントローラ１０５からプランジャ１０１のシャフト２０５を通して伸びている。導線２０４の接続先は、ヘッド部２０１とは反対側に位置するプランジャ１０１の先端にあるコイル１０８であり、そことの間で電気信号をやりとりする。電池２０２とマイクロコントローラ１０５とはプランジャ１０１の頂上に位置してもよく、導線２０４がマイクロコントローラ１０５からピストン２０６まで伸びていてもよい。ピストン２０６は投薬システム用のロック機構（図示せず。）を包含していてもよい。
【００２９】
好ましい実施形態では、電池２０２は導線２０４を通してコイル１０８へ電流を周期的に供給する。コイル１０８へ電流が供給されることにより、コイル１０８には誘導電磁場が生成される。この電磁場が、シリンダ１０２に配置されたラベル１０６上にある導電性箔３０３（図３参照。）と相互作用するので、コイル１０８に１以上の渦電流を誘導するのに導電性箔３０３を利用することができる。コイル１０８に誘導される渦電流の振幅の少なくとも一部は、電池２０２による電流の供給時にコイル１０８が、ラベル１０６内の導電性箔３０３のそれぞれに対して、シリンダ１０２の長手方向においてどの位置にあるかに依存する。渦電流は、電池２０２が電流を供給する際にコイル１０８に最も近い１以上の導電性箔３０３から影響を受ける。その導電性箔３０３の固有の長さに応じて、コイル１０８の相対位置に依存する渦電流の大きさが区別される。マイクロコントローラ１０５は導線２０４を通して、誘導された渦電流を測定し、その測定値を調べて、プランジャ１０１の位置を表すデータに変換する。ある実施形態では、マイクロコントローラ１０５は電池２０２に電流をコイル１０８へ、所定の周期で供給させるように構成されている。たとえば、電池２０２は電流を１秒ごとに、５秒ごとに、１分ごとに、または他の周期で供給してもよい。このような実施形態では、マイクロコントローラ１０５が同じサンプリング周期でプランジャの位置を求めてもよい。
【００３０】
図３は、以下に開示される観点に従った注射器システム１００用のシリンダ１０２を示す。ある実施形態では、シリンダ１０２はラベル１０６を備えていてもよい。ラベル１０６は１以上の導電性箔３０３を含む。これらはサイズが様々であり、小さい順に、または大きい順に並んでいる。ある観点では、小さい導電性箔３０３ほどコイルの誘導電力が小さく、大きい導電性箔３０３ほどコイルの誘導電力が大きい。ラベル１０６に印刷された金属の分布には、いくつかの形があり得る。図３に示された分布は一例に過ぎない。
【００３１】
シリンダ１０２は、基端、先端、およびそれらの間を長手方向に伸びる周壁３０４を含む。周壁３０４は外面を持ち、内部空間を仕切っている。この内部空間の中に薬剤が保存可能である。シリンダの開口部３０２は、好ましくは、シリンダ１０２の先端に位置し、アンプル、バイアル等、薬剤の容器を受け入れるように構成されていてもよい。プランジャ１０１は、好ましくは、製造中および輸送中に開口部３０２の中へ挿入される。プランジャ１０１は、薬剤が投与される間、シリンダ１０２の内部空間の中を、シリンダ１０２に対して長手方向に移動可能である。薬剤は、シリンダ１０２の先端に位置する針３０１またはその他の伝達機構を通して投与されてもよい。
【００３２】
図４は、以下に記述される観点に従って組み立てられた注射器システム１００を示す。コイル１０８がラベル１０６と相互作用する程度に、プランジャ１０１がシリンダ１０２の中に挿入されているように描かれている。コイル１０８に生じた渦電流は導線２０４を通してマイクロコントローラ１０５（図４には示されていない。）によって処理される。マイクロコントローラ１０５は回路基板２０３に実装され、プランジャ１０１のヘッド部２０１に位置する。ある観点では、安全カバー４０１が輸送中および使用前に、針３０１または投薬機構を覆うのに使われてもよい。
【００３３】
注射器システム１００は、好ましくは、健康管理システムの提供者に低価格注射器具の状態を自動的に監視させる。これにより、提供者は、投薬計画が遵守されているか、保存可能期間が過ぎていないか、輸送中にプランジャが動いていないか、流通時に低温状態が保たれているかについて、追跡することができる。
【００３４】
この技術はまた、すでに無線通信機能を含んでいる、より複雑な注射器具に組み込まれていてもよい。可動式のプランジャ１０１とシリンダ１０２とを利用する自動注射器が、ここに説明されている開示技術の特徴を備えていてもよい。シリンダ１０２は、ポリマー、セラミックス、ある種の金属等、コイルが作る磁場とは相互作用しない物質から形成されていてもよい。身体表面に置かれる種類の、または装着型の注射器にも、ここに説明されている技術は適応可能である。さらに、この技術は、特に、安全システムを利用する注射器に適している。
【００３５】
その上、注射器システム１００はまた、病院環境の中で、病院の在庫管理システムと自動的に通信するのに使用されてもよい。これにより、注射器の使用がリアルタイムで追跡され、予め設定された在庫の量に基づいて注射器が自動的に再発注されるようにしてもよい。
【００３６】
注射器システム１００は、オーバーモールドまたはインサート成形によって製造されてもよい。マイクロコントローラ１０５、電池２０２、および導電体はプランジャ１０１の中に、この開示を通して説明されたように収められる。これは、一般的な射出成形工程の中で行われてもよい。
【００３７】
ラベル１０６は、従来の注射器ラベリング設備を使って、シリンダ１０２に貼られてもよい。ピストン２０６にも、コイル１０８等、電気系統の素子が含まれてもよい。この場合、プランジャ１０１がピストン２０６に組み込まれることで、電気回路が完成してもよい。ある観点では、電気部品のいくつかが、注射器のフランジアダプタ（図示せず。）の内部に、または、自動注射器もしくは装着型投薬システムの周辺部品の中に含まれていてもよい。
【００３８】
本発明の実施形態はまた、充填済み注射器のような既存の自己注射器具においても、同様な形式で使用されてもよい。プランジャ１０１の動き、および／または器具の温度がマイクロコントローラ１０５によって検出されてもよい。これらの情報をマイクロコントローラ１０５が読んで記録し、たとえばＢＬＥ通信を通してコンピュータ制御装置１０３へ送信してもよい。外部装置１０３は、注射器システム１００からの情報を読み取り、記録し、表示する関連アプリケーションを備えていてもよい。この情報はまた、健康管理システムの提供者、およびその他の出資者へ伝達されてもよい。
【００３９】
以上の観点は、限定的であることを意味しない。異なる注射器システムにおいては、回路の位置およびサイズが変わりうる。ここに開示された技術が、以上に特に示され、説明されている内容によって限定されないことは、当業者には高く評価されるであろう。むしろ、ここに開示された技術の範囲には、当業者が上記の説明を読んで思いつく、先行技術にはない修正および変形に加え、上記の様々な特徴の様々な組み合わせが含まれる。
【図１】
2020146532.tif 000003
【図２】
2020146532.tif 000004
【図３】
2020146532.tif 000005
【図４】
2020146532.tif 000006
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
マイクロコントローラ、
電池、および、
前記マイクロコントローラと前記電池とに接続されたコイル
を含むプランジャと、
長軸があり、基端、先端、および周壁を有するシリンダと、
前記長軸に対して平行ではない方向へ伸びている１以上の導電性箔と
を備えた注射器システムであって、
前記シリンダの周壁は、前記基端と前記先端との間を長手方向に伸びており、外面を含み、内部空間を仕切っており、
前記プランジャは、前記シリンダの内部空間の中を前記シリンダに対して前記長軸に沿って移動可能であり、
前記マイクロコントローラは、前記コイルのインダクタンスに基づいて前記導電性箔に対する前記プランジャの位置を求めるように構成されている
ことを特徴とする注射器システム。
【請求項２】
前記導電性箔は、前記長軸のまわりを周方向に伸びている環状である、請求項１に記載の注射器システム。
【請求項３】
無線通信インタフェースを更に備え、前記マイクロコントローラは、プランジャの位置データを前記無線通信インタフェース経由で外部装置へ送信するように構成されている、請求項１に記載の注射器システム。
【請求項４】
前記無線通信インタフェースは前記プランジャの位置データを、ブルートゥース低エネルギー方式で送信するように構成されている、請求項３に記載の注射器システム。
【請求項５】
前記プランジャの位置データは前記プランジャの中のメモリに書き込まれる、請求項３に記載の注射器システム。
【請求項６】
前記メモリは前記電池によって駆動される、請求項５に記載の注射器システム。
【請求項７】
前記外部装置は、前記プランジャの位置が所定の距離を超えて移動したことを前記マイクロコントローラが検出したら、ユーザーに警報を出すように構成されている、請求項３に記載の注射器システム。
【請求項８】
前記マイクロコントローラは、前記電池に電流を前記コイルへ所定の周期で供給させるように構成されている、請求項１に記載の注射器システム。
【請求項９】
針を更に備え、
前記プランジャは、前記シリンダの中の薬剤が前記針を通して投与されるように前記シリンダ内に圧力を加えるように構成されている、
請求項１に記載の注射器システム。
【請求項１０】
前記プランジャは印刷回路基板（ＰＣＢ）を更に含み、前記マイクロコントローラは前記ＰＣＢに実装されている、請求項１に記載の注射器システム。
【請求項１１】
前記プランジャに取り付けられたピストンを更に備えている、請求項１に記載の注射器システム。